(57)【要約】【課題】見映えがよく、和室に置かれる木製テレビケースが和室に対しての調和がもたらされる市販の薄型のテレビジョンを収納可能としたテレビジョン装着家具を提供する。【解決手段】前側枠体部に後側枠体部を形成する４つの部材を一体化する一体固定手段及び前側枠体部及び後側枠体部を形成する４つの部材の間に作用する力を調整可能とし、当該力を、後側枠体部を形成する４つの部材で受けて当該力で薄型のテレビジョンの前面パネル部分を前側枠体部に押圧する押圧手段を有し、後側枠体部を形成する４つの部材が、一体固定手段によって前側枠体部に取り付けられて組み立てられて一体固定され、一体固定された前側枠体部が押圧手段によって押圧され、前記縁と押圧手段との間に薄型のテレビジョンの前面パネル部分を挟持する。【選択図】図１３
2019213023.tif 000002
【特許請求の範囲】
【請求項１】
本体枠体、当該本体枠体の前面部を構成する前面パネル部分及び当該本体枠体の裏面部を構成する裏面パネル部分を有して薄型に形成された市販の薄型のテレビジョンを収納可能としたテレビジョン装着家具において、
本体枠体を有し、当該本体枠体が前側枠体部及び後側枠体部から構成されて、凾体形状をなし、内部に矩形状の空間部を有して、当該矩形状の空間部内に薄型のテレビジョンが収納可能とされるものであって、
前側枠体部及び後側枠体部のそれぞれが木製の４つの部材からなり、４つの部材で矩形状の枠体に形成され、後側枠体部を形成する４つの部材が個別に前側枠体部に取り付けられて組み立てられたものであって、当該前側枠体部が前面パネル部分を外部に露出させる前側窓部を有し、当該後側枠体部が裏面パネル部分を外部に露出させる後側窓部を有し、組立てられた前側枠体部及び後側枠体部が、内部に薄型のテレビジョンを収納する空間部を有し、及び前側枠体部が前記前側窓部周囲を囲んだ縁を有し、
前側枠体部に後側枠体部を形成する４つの部材を一体化する一体固定手段及び前側枠体部及び後側枠体部を形成する４つの部材の間に作用する力を調整可能とし、一体固定手段の位置よりも前記後側窓部側の位置に設定され、当該力を、後側枠体部を形成する４つの部材で受けて当該力で薄型のテレビジョンの前面パネル部分を前側枠体部に押圧する押圧手段を有し、
後側枠体部を形成する４つの部材が、一体固定手段によって前側枠体部に取り付けられて組み立てられて一体固定され、一体固定された前側枠体部が押圧手段によって押圧され、前側枠体部と後側枠体部とが、一体固定手段の位置よりも外方で緊締されて、薄型のテレビジョンの前面パネル部分を前記空間部内で、前側枠体部と後側枠体部との間に挟持固定保持すること
を特徴とする市販の薄型のテレビジョンを装着可能としたテレビジョン装着家具。
【請求項２】
請求項１に記載された市販の薄型のテレビジョンを装着するテレビジョン装着家具において、前側枠体部に取り付けられて組み立てられる、後側枠体部を形成する４つの部材前側枠体部が、隣接する各端部の間に空隙を有し、前側枠体部が、各４つの部材が隣接した端部の間が空隙部を有しないで接着された剛体構造とされることを特徴とする市販の薄型のテレビジョンを装着可能としたテレビジョン装着家具。
【請求項３】
請求項１に記載された市販の薄型のテレビジョンを装着するテレビジョン装着家具において、前記押圧手段が後側枠体部に設けられたねじ部に螺合されるねじ部を持ったビスで形成され、当該ビスが、ビス先端が薄型のテレビジョンの前面パネル部分に向けられて後側枠体部に取り付けられ、ビス先端が薄型のテレビジョンの前面パネル部分に当接することを特徴とする市販の薄型のテレビジョンを装着するテレビジョン装着家具。
【請求項４】
請求項３に記載された市販の薄型のテレビジョンを装着可能としたテレビジョン装着家具において、隣接した端面であって面一の表面部に隣接した端面の間は互いに接触し、傾斜する表面部に連接する端面の間に間隙が形成され、前記押圧手段のねじ部の螺合で、傾斜する表面部が固定手段の位置を基点として微小回動されて、前側枠体部及び後側枠体部は、双方の外側の外表面が面一の滑らかな表面を形成することを特徴とする市販の薄型のテレビジョンを装着可能としたテレビジョン装着家具。
【請求項５】
請求項１に記載された市販の薄型のテレビジョンを装着するテレビジョン装着家具において、窓部周囲を囲んだ縁が、収納された薄型のテレビジョンの前面パネル部分方向に突出する突起部になる額縁を形成し、当該額縁が薄型のテレビジョンの前面パネル部分の周囲部分に接触し、当該周囲部分を視界から隠蔽することを特徴とする市販の薄型のテレビジョンを装着するテレビジョン装着家具。
【請求項６】
請求項１〜５のいずれかに記載された市販の薄型のテレビジョンを装着可能としたテレビジョン装着家具と、当該テレビジョン装着家具の内部に挟持固定保持された市販の薄型のテレビジョンとからなること
を特徴とする市販の薄型のテレビジョンを装着するテレビジョン装着家具及び市販の薄型のテレビジョンの組み合わせ。
【請求項７】
本体枠体、当該本体枠体の前面部を構成する前面パネル部分及び当該本体枠体の裏面部を構成する裏面パネル部分を有し、
当該本体枠体が前側枠体部及び後側枠体部から構成されて、凾体形状をなし、内部に矩形状の空間部を有して、当該矩形状の空間部内に薄型のテレビジョンを収納可能とするものであって、
前側枠体部及び後側枠体部のそれぞれが木製の４つの部材からなり、４つの部材で矩形状の枠体に形成され、後側枠体部を形成する４つの部材が個別に前側枠体部に取り付けられて組み立てられたものであって、当該前側枠体部が前面パネル部分を外部に露出させる前側窓部を有し、当該後側枠体部が裏面パネル部分を外部に露出させる後側窓部を有し、組立てられた前側枠体部及び後側枠体部が、内部に薄型のテレビジョンを収納する空間部を有し、及び前側枠体部が前記前側窓部周囲を囲んだ縁を有し  、
前側枠体部に後側枠体部を形成する４つの部材を一体化する一体固定手段及び前側枠体部及び後側枠体部を形成する４つの部材の間に作用する力を調整可能とし、当該力を、後側枠体部を形成する４つの部材で受けて当該力で薄型のテレビジョンの前面パネル部分を前側枠体部に押圧する押圧手段を有した市販の薄型のテレビジョンを装着可能としたテレビジョン装着家具への市販の薄型のテレビジョンの装着方法において、
後側枠体部を形成する４つの部材を、一体固定手段によって前側枠体部に取り付けられて組み立てられて一体固定し、一体固定された前側枠体部を押圧手段によって押圧し、前記縁と押圧手段との間に薄型のテレビジョンの前面パネル部分を挟持して、薄型のテレビジョンの前面パネル部分を前記空間部内で、前側枠体部と後側枠体部との間に挟持固定保持すること
を特徴とする市販の薄型のテレビジョンを装着可能としたテレビジョン装着家具への市販の薄型のテレビジョンの装着方法。
【発明の詳細な説明】
【技術分野】
【０００１】
本発明は、市販の薄型のテレビジョンを装着可能としたテレビジョン装着家具、当該テレビジョン装着家具と市販の薄型のテレビジョンの組み合わせ及び当該テレビジョン装着家具への市販の薄型のテレビジョンの装着方法に関する。
【背景技術】
【０００２】
和室に置かれるテレビジョン（以下、テレビという。）を和室に調和させるためにテレビ木製テレビケースを取り付けることがなされている。この場合、木製のテレビ枠を作り、テレビに装着される。
【０００３】
テレビ装飾パネルがテレビに装着される。この場合、木製の素材を用い、表面を加飾した枠体を作り、この枠体がテレビに装着される。
【０００４】
従来のテレビカバーとして、木製天板を備え、下部が開放された箱状のテレビカバーを制作し、テレビカバーを上から下に下げ、足が床に付いたら裏側の両側にある４カ所の固定金具を締めて、テレビに装着するものが知られている。
【０００５】
特許文献１には、水平上の基盤と、この基盤上に立設された起立板と、この起立板の前面に開口部が設けられた箱体と、この箱体の前面に設けられ薄型テレビを背面にて係
止し支持する支持面と、を備えた薄型テレビ設置用家具が記載される。
【０００６】
特許文献２には、４枚のパネルすなわち前部パネル、２枚の側部パネルおよび上部パネルによって構成され、前部パネルが、テレビが見えるよう構成されたテレビ用家具調被覆キャビネットが記載される。
【０００７】
特許文献３には、額縁の中央に、設置対象の壁掛けテレビの画面と同じ大きさの開口部が開穿された壁掛けテレビ用装飾額縁が記載される。
【先行技術文献】
【特許文献】
【０００８】
【特許文献１】実用新案登録第３１３９８６３号公報
【特許文献２】特開昭５８−３８０７３号公報
【特許文献３】実用新案登録第３０８９７４３号公報
【発明の概要】
【発明が解決しようとする課題】
【０００９】
和室に置かれるテレビに木製テレビケースを装着し、和室に調和させることに高いニーズがある。従来、上述特許文献に示されるように、テレビに木製テレビケースを装着する場合、テレビカバーとしてテレビ用家具調被覆キャビネットが制作され、箱状のテレビ用家具調被覆キャビネットを頭部からテレビに上から下に向けて下げることで装着された。
【００１０】
このようなテレビ用家具調被覆キャビネットにあってはテレビ用家具調被覆キャビネットを頭部からテレビに上から下に向けて下げることで装着されるため、キャビネット内面とテレビ表面の間に装着のための間隙が必要とされるばかりでなく、テレビ全体を囲むことになってテレビから放散される熱を外部に放散させる上で問題がある。このためにテレビ用家具調被覆キャビネットの内部の空間厚みはテレビの最大厚みに対応することになって、テレビ用家具調被覆キャビネットを大きみに制作しなければならない。テレビ用家具調被覆キャビネットの大きさをテレビの大きさに近づけることで、テレビとテレビ用家具調被覆キャビネットとの大きさが調和されて、和室に置かれる木製テレビケースが和室に対しての調和がもたらされる。和室以外の部屋にテレビが置かれる場合にも同様である。
【００１１】
特許文献３に記載されるようなテレビ用装飾額縁をテレビに装着されるような場合には、上述した問題は生じないが、この場合にはテレビの前側部分はテレビ用装飾額縁で覆われと見映えがよくなるが、テレビの後側部分は剥き出しとなり見映えがよくないため、テレビ用装飾額縁を持つテレビ全体として和室に置かれたときに、和室との調和が充分に採られたものにならない。
【００１２】
本発明は、かかる点に鑑みてテレビ用家具調被覆キャビネットの大きさをテレビの大きさに近づけ得ることで、テレビとテレビ用家具調被覆キャビネットとの大きさが調和されて、全体として見映えがよく、和室に置かれる木製テレビケースが和室に対しての調和がもたらされる市販の薄型のテレビジョンを収納可能としたテレビジョン装着家具を提供することを目的とする。
【課題を解決するための手段】
【００１３】
本発明は、本体枠体、当該本体枠体の前面部を構成する前面パネル部分及び当該本体枠体の裏面部を構成する裏面パネル部分を有して薄型に形成された市販の薄型のテレビジョンを収納可能としたテレビジョン装着家具において、
本体枠体を有し、当該本体枠体が前側枠体部及び後側枠体部から構成されて、凾体形状をなし、内部に矩形状の空間部を有して、当該矩形状の空間部内に薄型のテレビジョンが収納可能とされるものであって、
前側枠体部及び後側枠体部のそれぞれが木製の４つの部材からなり、４つの部材で矩形状の枠体に形成され、後側枠体部を形成する４つの部材が個別に前側枠体部に取り付けられて組み立てられたものであって、当該前側枠体部が前面パネル部分を外部に露出させる前側窓部を有し、当該後側枠体部が裏面パネル部分を外部に露出させる後側窓部を有し、組立てられた前側枠体部及び後側枠体部が、内部に薄型のテレビジョンを収納する空間部を有し、及び前側枠体部が前記前側窓部周囲を囲んだ縁を有し、
前側枠体部に後側枠体部を形成する４つの部材を一体化する一体固定手段及び前側枠体部及び後側枠体部を形成する４つの部材の間に作用する力を調整可能とし、当該力を、後側枠体部を形成する４つの部材で受けて当該力で薄型のテレビジョンの前面パネル部分を前側枠体部に押圧する押圧手段を有し、
後側枠体部を形成する４つの部材が、一体固定手段によって前側枠体部に取り付けられて組み立てられて一体固定され、一体固定された前側枠体部が押圧手段によって押圧され、前側枠体部と後側枠体部とが、一体固定手段の位置よりも外方で緊締されて、薄型のテレビジョンの前面パネル部分を前記空間部内で、前側枠体部と後側枠体部との間に挟持固定保持すること
を特徴とする市販の薄型のテレビジョンを装着可能としたテレビジョン装着家具を提供する。
【００１４】
本発明は、上述された市販の薄型のテレビジョンを装着するテレビジョン装着家具において、前側枠体部に取り付けられて組み立てられる、後側枠体部を形成する４つの部材前側枠体部が、隣接する各端部の間に空隙を有し、前側枠体部が、各４つの部材が隣接した端部の間が空隙部を有しないで接着された剛体構造とされることを特徴とする市販の薄型のテレビジョンを装着可能としたテレビジョン装着家具を提供する。
【００１５】
本発明は、上述された市販の薄型のテレビジョンを装着するテレビジョン装着家具において、前記押圧手段が後側枠体部に設けられたねじ部に螺合されるねじ部を持ったビスで形成され、当該ビスが、ビス先端が薄型のテレビジョンの前面パネル部分に向けられて後側枠体部に取り付けられ、ビス先端が薄型のテレビジョンの前面パネル部分に当接することを特徴とする市販の薄型のテレビジョンを装着するテレビジョン装着家具を提供する。
【００１６】
本発明は、上述された市販の薄型のテレビジョンを装着可能としたテレビジョン装着家具において、隣接した端面であって面一の表面部に隣接した端面の間は互いに接触し、傾斜する表面部に連接する端面の間に間隙が形成され、前記押圧手段のねじ部の螺合で、傾斜する表面部が固定手段の位置を基点として微小回動されて、前側枠体部及び後側枠体部は、双方の外側の外表面が面一の滑らかな表面を形成することを特徴とする市販の薄型のテレビジョンを装着可能としたテレビジョン装着家具を提供する。
【００１７】
本発明は、上述された市販の薄型のテレビジョンを装着するテレビジョン装着家具において、窓部周囲を囲んだ縁が、収納された薄型のテレビジョンの前面パネル部分方向に突出する突起部になる額縁を形成し、当該額縁が薄型のテレビジョンの前面パネル部分の周囲部分に接触し、当該周囲部分を視界から隠蔽することを特徴とする市販の薄型のテレビジョンを装着するテレビジョン装着家具を提供する。
【００１８】
本発明は、上述された市販の薄型のテレビジョンを装着可能としたテレビジョン装着家具と、当該テレビジョン装着家具の内部に挟持固定保持された市販の薄型のテレビジョンとからなること
を特徴とする市販の薄型のテレビジョンを装着するテレビジョン装着家具及び市販の薄型のテレビジョンの組み合わせ。
【００１９】
本発明は、本体枠体、当該本体枠体の前面部を構成する前面パネル部分及び当該本体枠体の裏面部を構成する裏面パネル部分を有し、
当該本体枠体が前側枠体部及び後側枠体部から構成されて、凾体形状をなし、内部に矩形状の空間部を有して、当該矩形状の空間部内に薄型のテレビジョンを収納可能とするものであって、
前側枠体部及び後側枠体部のそれぞれが木製の４つの部材からなり、４つの部材で矩形状の枠体に形成され、後側枠体部を形成する４つの部材が個別に前側枠体部に取り付けられて組み立てられたものであって、当該前側枠体部が前面パネル部分を外部に露出させる前側窓部を有し、当該後側枠体部が裏面パネル部分を外部に露出させる後側窓部を有し、組立てられた前側枠体部及び後側枠体部が、内部に薄型のテレビジョンを収納する空間部を有し、及び前側枠体部が前記前側窓部周囲を囲んだ縁を有し  、
前側枠体部に後側枠体部を形成する４つの部材を一体化する一体固定手段及び前側枠体部及び後側枠体部を形成する４つの部材の間に作用する力を調整可能とし、当該力を、後側枠体部を形成する４つの部材で受けて当該力で薄型のテレビジョンの前面パネル部分を前側枠体部に押圧する押圧手段を有した市販の薄型のテレビジョンを装着可能としたテレビジョン装着家具への市販の薄型のテレビジョンの装着方法において、
後側枠体部を形成する４つの部材を、一体固定手段によって前側枠体部に取り付けられて組み立てられて一体固定し、一体固定された前側枠体部を押圧手段によって押圧し、前記縁と押圧手段との間に薄型のテレビジョンの前面パネル部分を挟持して、薄型のテレビジョンの前面パネル部分を前記空間部内で、前側枠体部と後側枠体部との間に挟持固定保持すること
を特徴とする市販の薄型のテレビジョンを装着可能としたテレビジョン装着家具への市販の薄型のテレビジョンの装着方法を提供する。
【発明の効果】
【００２０】
本発明によれば、後側枠体部を形成する４つの部材が、一体固定手段によって前側枠体部に取り付けられて組み立てられて一体固定され、一体固定された前側枠体部が押圧手段によって押圧され、前記縁と押圧手段との間に、薄型のテレビジョンの幅を決定する要素の内の比較的薄い幅の前面パネル部分を挟持して、薄型のテレビジョンの前面パネル部分を前記空間部内で、前側枠体部と後側枠体部との間に挟持固定保持することができる。
【００２１】
これによって、テレビ用家具調被覆キャビネットの大きさをテレビの大きさから掛け離れて大きくすることを要さず、テレビとテレビ用家具調被覆キャビネットとの大きさが調和されて、全体として見映えがよく、和室に置かれる木製テレビケースが和室に対しての調和がもたらされる市販の薄型のテレビジョンを収納可能としたテレビジョン装着家具を提供することができる。
【図面の簡単な説明】
【００２２】
【図１】本発明の実施例の市販の薄型のテレビジョンを収納可能としたテレビジョン装着家具の正面図
【図２】テレビジョン装着家具を後方から見たときの斜視図
【図３】典型的にテレビの外形形態を示す図
【図４】テレビジョン装着家具を構成する前側枠体部の構成を示す図
【図５】部材２DのA部断面における詳細を示す図
【図６】部材２DのB部断面における詳細を示す図
【図７】脚部の詳細を示す図
【図８】音声通過孔の詳細を示す図
【図９】テレビジョン装着家具を構成する後側枠体部３の構成を示す図
【図１０】図９のC部の詳細を示す図
【図１１】図８のD部の詳細を示す図
【図１２】図８の部材３Cの詳細を示す図
【図１３】本体枠体１への第１のビス及び第２のビスの取り付け状況を説明する図
【図１４】前側枠体部に後側枠体部を固着する処理フローを示す図
【図１５】テレビ内蔵家具及び当該家具に内蔵されるテレビのコラボレーション販売システム及び販売方法を示す図
【発明を実施するための形態】
【００２３】
以下、本発明の実施例を図面に基づいて説明する。
【００２４】
図１は、本発明の実施例の市販の薄型のテレビジョンを収納可能としたテレビジョン装着家具（以下、テレビジョン装着家具という。）１００の正面図である。
【００２５】
図２は、テレビジョン装着家具１００を後方から見たときの斜視図である。
【００２６】
これらの図において、テレビジョン装着家具１００は、本体枠体１、当該本体枠体１の前面部を構成する前面パネル部分の前側枠体部２及び当該本体枠体の裏面部を構成する裏面パネル部分の後側枠体部３を有して薄型に形成された市販の薄型のテレビ１０１を収納可能とする。
【００２７】
テレビジョン装着家具１００は、前側枠体部２及び後側枠体部３のそれぞれが木製の４つの部材２A、２B、２C、２D及び３A、３B、３C、３Dからなり、４つの部材で矩形状の枠体に形成され、後側枠体部３２形成する４つの部材３A、３B、３C、３Dが個別に前側枠体部２に取り付けられて組み立てられたものであって、前側枠体部２がテレビ１０１の前面パネル部分１０２を外部に露出させる、空間部４（図１３）に形成された前側窓部５（図５）を有し、後側枠体部３が裏面パネル部分１０３を外部に露出させる、当該空間部４に形成された後側窓部６を有する。  組立てられた前側枠体部２及び後側枠体部３が、内部に薄型のテレビジョンを収納する前述の空間部４を有し、及び前側枠体部２が前側窓部５の周囲を囲んだ縁７を有する。縁７は、後述するように前側枠体部２が押圧手段によって押圧されたときに押圧力を受ける部分となる。テレビ１０１が前側パネル周囲に縁を有するテレビあるいは前側パネル周囲に縁を有しないテレビ（縁なしデスプレイテレビ）にあっても形成されるが、前側パネル周囲に縁を有しないテレビにあってはその幅は前側パネル周囲に縁を有するテレビに比べて小さなものとされる。
【００２８】
前側枠体部２を構成する木製の４つの部材２A、２B、２C、２Dは、平板状の木材であり、後側枠体部３を構成する木製の４つの部材３A、３B、３C、３Dは、平板状の木材が表面の一部が長さ方向に削られたもので、元のままの表面である平面部１１と後側窓部６に向かって傾斜をなす傾斜面部１２を有し、後側端に垂直になった垂直面部１３を有する。後端面部１３は、４つの部材３A、３B、３C、３Dに対応して４つの後端面部１３A、１３B、１３C、１３Dとなる。図２では、後端面部１３A及び１３Dが表示される。前側枠体部２を構成する木製の４つの部材２A、２B、２C、２D及び後側枠体部３を構成する木製の４つの部材３A、３B、３C、３Dは、接触面が円滑な面を有し、典型的にはテレビ配置方向において双方の幅は同一である。
【００２９】
図２において、前側枠体部２に後側枠体部３、すなわち４つの部材３A、３B、３C、３Dが取付け、装着されたときに、前側枠体部２の表面部の表面と平面部１１の表面とは段差のない面一面となる。
【００３０】
垂直面部１３にはそれぞれ４つの孔１４が開けられる。すなわち垂直面部１３A、１３B、１３C、１３Dにはそれぞれ４つの孔１４A、１５Aが開けられる。４つの孔１４は２種類からなり、それぞれにA、Bを付される。垂直面部１３A、１３B、１３C、１３Dに対応して、すなわち４つの孔は、１４Aと１５A、１４Bと１５B、１４Cと１５C、１４Dと１５Dとなる。
【００３１】
図２では、垂直面部１３Dに１４Dと１５D、垂直面部１３Aに１４A及び１５Aが表示される。
【００３２】
本体枠体１の下端の部材２C及び３Cには、その下端部に脚部８が取り付けられる。また、本体枠体１の下端の部材２C及び３Cには、これらを貫通した音声通過孔９が設けられる。
【００３３】
図３は、テレビジョン装着家具１００がその内部に収納する典型的な市販の薄型テレビ１０１の外観を示す図である。図３（a）は、テレビの前側パネルの正面図を示し、図３（ｂ）は、テレビの後側パネルの斜視図を示す。典型的な市販の薄型テレビ１０１としては、薄型の液晶テレビが該当する。薄型の液晶テレビには、立設タイプのテレビと壁掛けタイプがあり、また画面周囲にパネル縁のあるタイプのものと画面周囲にパネル縁のあるタイプのものとがある。本実施例は、これらいずれのタイプのテレビにも提要可能である。以下、立設タイプの薄型の液晶テレビで、画面周囲にパネル縁のあるタイプのテレビを例に採って説明する。薄型とは、液晶テレビにように通常当業界で使用される薄型を意味する。
【００３４】
図３（a）において、テレビの前側パネルは、テレビ画像が表示される表示パネル部１０２と表示パネル部周囲のパネル縁１０４が視認される。
【００３５】
テレビの前側パネルは、チャンネル操作器（図示せず。）と無線通信を行うテレビ操作部１０８を備える。このテレビ操作部の前面部に、通信部例えば音声部１１０が設けられる。
【００３６】
図３（ｂ）において、テレビの後側パネルは、後方に突起する突起部が後端の垂直面部１０７、後側パネル縁部１０５及びその間を形成する傾斜面部１０６からなる。傾斜面部１０６及び垂直面部１０７には、換気のための多数の空気孔部１０８が形成される。本実施例では、テレビの後側パネルが傾斜面部１０６を有する例について説明する画、この例には限定されない。例えば、斜面部１０６がなく、後側パネル縁部１０５から直ちに垂直面部１０７に推移するタイプの後側パネルにも適用可能である。
【００３７】
図４は、テレビジョン装着家具を構成する前側枠体部２の構成を示す図である。
【００３８】
図４において、テレビジョン装着家具１００を構成する前側枠体部２は、木製の４つの部材２A、２B、２C、２Dからなり、ウオールナット材、オーク材、チェリー材、アッシュ材（たもの木）、あるいはうるし材が好んで用いられる。部材２Aは上側部材、部材２Bは右側部材、部材２Cは下側部材、部材２Dは、左側部材であり、これらの部材は、矩形状に配置される。矩形状に配置された４つの部材２A、２B、２C、２Dは、前側窓部５を形成する。４つの部材２A、２B、２C、２Dは、矩形状の平板からなり、正面からの形状が図に示される。部材２Aは、中央部の矩形状部と両端部の鋭角頂点を持つ逆三角形状の接合部からなり、部材２B、２Dは、中央部の矩形状部、上端部の鋭角頂点を持つ逆三角形状の接合部、及び下端部の矩形状部と逆三角形状部との組み合わせ接合部からなり、部材２Cは、図１２（a）に示されるように、中央部の矩形状部と両端部の鋭角頂点を持つ逆三角形状の接合部からなる。接合面を数値３０で示す。
【００３９】
図５は、部材２DのA部断面における詳細を示す図である。部材２Dは、第１のビス５１（図１３）を受入れる第１のビス孔２６を備える。第１のビス孔２６には底部のあるねじ部２７が形成される。部材２Dには。第２のビス５２が当接する押圧点２５がある。
【００４０】
図６は、部材２DのB部断面における詳細を示す図である。部材２Dは、矩形状部と右端部、すなわち前側窓部側に突起した突起部とからなる。
【００４１】
部材２Dは、挿入されるビス（後述）の先端が接触することで押圧される押圧点２５を備える。
突起部が縁７を形成し、テレビの前側パネルの縁部１０４を収納する収納凹部７Aを形成する。  縁７に先端部表面は、垂直面と傾斜面からなり、傾斜面側が視界面となる。反対側の凹んだ部分にテレビの前側パネル１０２の縁部１０４が収納される。視界の観点からみたときに、縁７は、額縁になって、前側パネル１０２の縁部１０４を視界から遮蔽する。
【００４２】
他の部材２A、２B、２Cについても、断面構造は図４に示すようである。いずれの部材についても縁７は、前側窓部側１０２に突起する。
【００４３】
矩形状に配設された４つの部材２A、２B、２C、２Dは、隣接する端部が接着材によって接着され、固定される。接着剤による接着に加えて仕口構造が用いられてもよい。４つの部材２A、２B、２C、２Dが固定化されることで、前側枠体部２は、剛体構造とされる。ここで剛体構造とは、４つの部材２A、２B、２C、２Dが固定化されることで基本的に外圧に対して変形しないということである。
【００４４】
図７は、脚部８の詳細を示す図である。図７（a）は、正面図であり、図７（ｂ）は、平面図である。本体枠体１の下端の部材２C及び３Cには、その下端部に脚部８が取り付けられる。
【００４５】
脚部８は、本体９と足部１０と溝部１１から構成され、溝部１１に本体枠体１の下端の部材２C及び３Cが嵌められ、固定される。
【００４６】
図８は、音声通過孔９の詳細を示す図である。図８（a）は、正面図であり、図８（b）は側面図である。
【００４７】
本体枠体１の下端の部材２C及び３Cには、これらを正面方向に貫通した音声通過孔９が設けられる。  音声通過孔９は、運動場のトラック形状をなし、外方に向かって孔が拡大した形状をなす。ただし、この形状に限定されない。
【００４８】
図９は、テレビジョン装着家具を構成する後側枠体部３の構成を示す図で、裏側方から見た図である  。
【００４９】
図４〜図９において、テレビジョン装着家具１００を構成する前側枠体部２は、木製の４つの部材３A、３B、３C、３Dからなり、ウオールナット材、オーク材、チェリー材、アッシュ材（たもの木）、あるいはうるし材が好んで用いられる。ただし、これらの木材に限定されない。後側枠体部３には前側枠体部２に使用されると同じ材料が使用される。
【００５０】
部材３Aは、図において上側部材、部材３Bは左側部材、部材３Cは下側部材、部材２Dは、右側部材であり、図４における４つの部材２A、２B、２C、２Dに対抗配置される。これらの部材は、矩形状に配置される。矩形状に配置された４つの部材２A、２B、２C、２Dは、後側窓部６を形成する。４つの部材３A、３B、３C、３Dは、矩形状の平板からなり、正面からの形状が図に示される。
【００５１】
垂直面部１３にはそれぞれ４つの孔１４が開けられる。すなわち垂直面部１３A、１３B、１３C、１３Dにはそれぞれ２種類の孔１４Aと１５A、１４Bと１５B、１４Cお１５C、１４Dと１５Dが穿たれる。これらの孔は２種類からなり、数値１４，１５で区別される。垂直面部１３A、１３B、１３C、１３Dに対応して、それぞれ４つ組みになる孔１４Aと１５A、１４Bと１５B、１４Cと１５C、１４Dと１５Dの２種類の孔が各２個形成される。この例では、垂直面部１３Cには、２個の１４Cと１個の１５Cからなる３つの孔が形成され、示される。
【００５２】
図１０は、図９のC部の詳細を示す図である。
【００５３】
図１０において、後側枠体部３（３B）の垂直面部１３BのD部における断面形状は、左端の平面部１１、傾斜面１２、上下の平面部１３B（１３）及び右端断面部分（後側枠体部３B(３)の先端突起部の断面）とからなる。
【００５４】
後側枠体部３B(３)には、下の平面部１３BBに向けて穿たれ、貫通した第１のビス５１（図１３）に挿入される孔１５Aが見える。弟１のビス５１は、ビス孔１５Aを貫通する。
【００５５】
図１１は、図９のD部の詳細を示す図である。
【００５６】
図１１において、後側枠体部３B(３)の垂直面部１３Bの断面形状は、左端の平面部１１と傾斜面１２、上下の平面部１３B（１３）と１３BB及び右端の上方に向けて傾斜する傾斜部２１、すなわち薄型のテレビの後側パネル形状に沿った傾斜部２１からなる。
【００５７】
後側枠体部３B(３)には、下の平面部１３BBに向けて穿たれ、貫通した第２のビス孔１５Bが見える。第２のビス孔１５Bの下端付近にはねじ部５０が形成され、このねじ部５０に挿入される第２のビス５２（図１３）のねじ部５３が螺合され、挿入された第２のビス５２は、挿入係合点である押圧点２５で後側枠体部３(すなわち３B、以下同様)に保持される。
【００５８】
図１２は、図９の部材３Cの詳細を示す図である。図１２（a）は、部材３Cの正面図であり、図１２（ｂ）は、部材３Cの部材３Cの側面図であり、図の上側が組みられたときに手前側となる。垂直面部１３Cには、上述したように、２個の１４Cと１個の１５Cからなる３つの孔が形成される。
【００５９】
図１２（ｂ）に示すように、部材３Cには脚部取付材４０が固着される。外端部には垂直面部１３Cの端部に設けた傾斜面と同じに傾斜する傾斜面４１が形成される。
【００６０】
図１３は、本体枠体１への第１のビス５１及び第２のビス５２の取り付け状況を説明する図である。
【００６１】
図１４は、前側枠体部に後側枠体部を固着する処理フローを示す図である。
【００６２】
図１３及び図１４を用いて、前側枠体部に後側枠体部を固着する処理方法を説明する。
【００６３】
前側枠体部２が４つの部材２A、２B、２C、２Dからなり、矩形状に配置されて接合部３０が接合され、剛体としての一つの枠体が形成される。（S１）
前側枠体部が薄型のテレビの前面パネル部分を外部に露出させる前側窓部１０２を有する。  このときに、前側枠体部２が前記前側窓部周囲を囲んで縁７が形成される。
【００６４】
窓部周囲を囲んだ縁は、収納された薄型のテレビの前面パネル方向に突出する突起部になる額縁を形成し、当該額縁が薄型のテレビの前面パネル部分の周囲部分に接触し、当該周囲部分を視界から隠蔽する。（S２）
薄型のテレビの前面パネル１０２の後側パネル縁部１０５が縁７の内面に接触するようにして縁によって形成された収納凹部７Aに収納するようにして薄型のテレビ１０１が前側枠体部２内に収納される。（S３）
後側枠体部３のそれぞれが木製の４つの部材３A、３B、３C、３Dからなる。４つの部材３A、３B、３C、３Dで矩形状配置を形成することで、４つの部材３A、３B、３C、３Dが各独立した矩形状枠体を形成する。後側枠体部を形成する４つの部材３A、３B、３C、３Dが個別に前側枠体部２に取り付けられて組み立てられる。（S４）
組立てられた前側枠体部２及び後側枠体部３が、内部に薄型のテレビジョンを収納する空間部４を有する。薄型のテレビ１０１がこの空間部４内に配設される。（S５）
薄型のテレビ１０１がこの空間部４内に配設されたときに、薄型のテレビ１０１の前側パネル１０２は、前側枠体部２及び後側枠体部３の４つの部材３A、３B、３C、３Dに軽く接して配設される。
【００６５】
軽く接して配設されるとは、ルーズに配設されることで、少しでも押圧すれば、薄型のテレビ１０１をこの空間部４内を移動させることができる状態をいう。この状態にあっては、部材３Bの傾斜部２１が薄型のテレビの後側パネル形状に沿った状態となる。（S６）
後側枠体部３が薄型のテレビの裏面パネル部分を外部に露出させる後側窓部１０３が形成される。後側パネルの中央部が形成された後側窓部１０３から外方に露出される。後側枠体部３の外面と露出した後側パネルの中央部の外面とは面一とされた。（S７）
第１のビス５１は、後側枠体部３B（３）の厚さを貫通する長さを有し、先端部分にネジ部５３を備える。第２のビス５２は、後側枠体部３B(３)の厚さを貫通する長さを有し、先端に接触端部５４を備え、先端部にねじ部５５を備える。
【００６６】
前側枠体部に後側枠体部を形成する４つの部材を一体化する一体固定手段及び前側枠体部及び後側枠体部を形成する４つの部材の間に作用する力を調整可能とし、当該力を、後側枠体部を形成する４つの部材で受けて当該力で薄型のテレビジョンの前面パネル部分を前側枠体部に押圧する押圧手段を有する。第１のビス５１が一体固定手段を形成し、第２のビス５２が押圧手段を形成する。  第１のビス５１と第２のビス５２とは、垂直面部の同一面上で、水平方向あるいは垂直方向の同一線上に設定された。
【００６７】
まず、第１のビス５１が部材３Bに設けられた第１のビス孔１４B内に挿入され、ビス孔１４Bを貫通したねじ部５３が収納孔２７に設けたねじ部２６と螺合し、部材３Bを前側枠体部２に固着させて装着する。同様にして、部材３A、３C、３Dについても個別に前側枠体部２に固着する。固着順序は問わない。（S８）
次に、第２のビス５２が部材３Bに設けられた、第１のビス孔に間隔Lが設けられた  第２のビス孔１５B内に挿入される。この挿入は、ねじ部５０へのねじ部５５への螺合は、先端に設けた接触端部５４の前側枠体部２の押圧点２５への押圧状態を慎重に調節をしながらなされる。第１のビス及び第２のビスは左右対称に２組設けられているので、２組についてほぼ同時に作業がなされる。押圧点部材は、ゴム材、プラスチック材、布材等の弾性材で作成することが勧められる。
【００６８】
接触端部５４の前側枠体部２の押圧点２５への押圧に伴って、第１のビス５１及び第２のビス５２間にはモーメントが作用して、部材３はしなり、部材３Bを第１のビスを中心にして部材３Bを微小が回動させ、図１３に示すように第１のビスを中心にして中央側に前側枠体部２と部材３Bとの間に微小の空隙が派生させ、第１のビスを中心にして外側の前側枠体部２と部材３Bとの間を固く締める。外側の前側枠体部２と部材３Bとの間を固く締められることで、面一配置の前側枠体部２と部材３Bとは、その間に全く空隙がなく、一体の板のごとくの形態となり、外側外方から見たときに見映えがよくなる。前側枠体部と後側枠体部とが、一体固定手段である第１のビス５１の位置よりも外方で緊締される。第１のビス５１の位置より外方端までを外方とし、第１のビス５１の位置より後側窓部１０３までを内方という。
【００６９】
後側枠体部を形成する４つの部材が、一体固定手段によって接着剤を用いることなく前側枠体部に取り付けられて組み立てられて一体固定され、一体固定された前側枠体部が押圧手段によって押圧され、前側枠体部と後側枠体部とが、一体固定手段の位置よりも外方で機械的に緊締され、内方に空隙が形成されて、薄型のテレビジョンの前面パネル部分を前記空間部内で、前側枠体部と後側枠体部との間に挟持固定保持する。
【００７０】
前側枠体部と後側枠体部とは、２種類のビスで締結されているのみであるので、後側枠体部を前側枠体部から取り外すことが容易である。
【００７１】
また、押圧点２５に作用する下向き、すなわち前側枠体部２の方向に作用する力によって前側枠体部２が縁７の内面に強く接触する。前側枠体部２の方向に作用する力によって前側枠体部２が縁７の内面に強く接触することによって部材３Bは、前側枠体部２に軽微に接触していた状態から強く接触する状態となって前側枠体部２に固定される。
【００７２】
同様にして、部材３A、３C、３Dについても、外側外方から前側枠体部２と部材３A、３C、３Dとの間に全く空隙がなく、一体の板のごとくの形態となり、外方から見たときに見映えがよくなり、部材３A、３C、３Dは、前側枠体部２に軽微に接触していた状態から強く接触する状態となって前側枠体部２に固定される。
【００７３】
押圧手段のねじ部の螺合で、傾斜する表面部が固定手段の位置を基点として微小回動させて、前側枠体部及び後側枠体部は、双方の外側の外表面が面一の滑らかな表面を形成する。（S９）
前側枠体部２と後側枠体部３とを固着して、テレビ１０１を前側枠体部２と後側枠体部３と間に固定する。
【００７４】
後側枠体部を形成する４つの部材が、一体固定手段によって前側枠体部に取り付けられて組み立てられて一体固定され、一体固定された前側枠体部が押圧手段によって押圧され、前記縁と押圧手段との間に薄型のテレビジョンの前面パネル部分を挟持して、薄型のテレビジョンの前面パネル部分を前記空間部内で、前側枠体部と後側枠体部との間に挟持固定保持する。（S１０）
最終的に脚部８を枠体１に取り付ける。（S１１）
市販の薄型のテレビジョンを装着可能としたテレビジョン装着家具１００と、当該テレビジョン装着家具の内部に挟持固定保持された市販の薄型のテレビ１０１からなる、市販の薄型のテレビジョンを装着するテレビジョン装着家具及び市販の薄型のテレビジョンの組み合わせが提供される。
【００７５】
本実施例によれば、後側枠体部を形成する４つの部材が、一体固定手段によって前側枠体部に取り付けられて組み立てられて一体固定され、一体固定された前側枠体部が押圧手段によって押圧され、前記縁と押圧手段との間に、薄型のテレビジョンの幅を決定する要素の内の比較的薄い幅の前面パネル部分を挟持して、薄型のテレビジョンの前面パネル部分を前記空間部内で、前側枠体部と後側枠体部との間に挟持固定保持することができる。
【００７６】
これによって、テレビ用家具調被覆キャビネットの大きさをテレビの大きさから掛け離れて大きくすることを要さず、テレビとテレビ用家具調被覆キャビネットとの大きさが調和されて、全体として見映えがよく、和室に置かれる木製テレビケースが和室に対しての調和がもたらされる市販の薄型のテレビジョンを収納可能としたテレビジョン装着家具を提供することができる。
【００７７】
市販の薄型のテレビジョンを収納可能としたテレビジョン装着家具を載置する台座（図示せず）もテレビジョン装着家具に用いた同一の材料を使用して制作することが和室のトータルした調和から望ましいことである。
【００７８】
以上に説明した実施例によれば、次に示される制作されたテレビを内蔵可能な家具、及び当該テレビの仕様データを持ったテレビのセット販売システム及びセット販売方法に関する発明が提供される。
【００７９】
図１５は、テレビ内蔵家具及び当該家具に内蔵されるテレビのコラボレーション販売システム及び販売方法を示す図である。これらのコラボレーション販売システム及び販売方法は、テレビメーカ（その特約店を含む。）と下部制作メーカーになる下記に示される発明１−５が含まれる。
【００８０】
発明１
テレビを内蔵可能な家具、及び当該家具に内蔵されるテレビからなるセットについてのセット販売システムにおいて、
通信システムで結ばれた、木製の家具を制作する事業者に属する端末と当該家具に内蔵されるテレビを製造する事業者に属する端末とを含んで構成され、
木製の家具を制作する事業者に属する端末及び当該家具に内蔵されるテレビを製造する事業者に属する端末のそれぞれが記憶手段、画面表示手段及び通信手段を有し、
木製の家具を制作する事業者に属する端末の記憶手段に、家具に内蔵されるテレビの種類ごとの外観仕様データ、及び当該外観仕様データに基づいて、
前側枠体部及び後側枠体部のそれぞれが木製の４つの部材からなり、４つの部材で矩形状の枠体に形成され、後側枠体部を形成する４つの部材が個別に前側枠体部に取り付けられて組み立てられたものであって、当該前側枠体部が前面パネル部分を外部に露出させる前側窓部を有し、当該後側枠体部が裏面パネル部分を外部に露出させる後側窓部を有し、組立てられた前側枠体部及び後側枠体部が、内部に薄型のテレビジョンを収納する空間部を有し、及び前側枠体部が前記前側窓部周囲を囲んだ縁を有すること
前側枠体部に後側枠体部を形成する４つの部材を一体化する一体固定手段及び前側枠体部及び後側枠体部を形成する４つの部材の間に作用する力を調整可能とし、当該力を、後側枠体部を形成する４つの部材で受けて当該力で薄型のテレビジョンの前面パネル部分を前側枠体部に押圧する押圧手段を有すること
後側枠体部を形成する４つの部材が、一体固定手段によって前側枠体部に取り付けられて組み立てられて一体固定され、一体固定された前側枠体部が押圧手段によって押圧され、前側枠体部と後側枠体部とが、一体固定手段の位置よりも外方で緊締されて、薄型のテレビジョンの前面パネル部分を前記空間部内で、前側枠体部と後側枠体部との間に挟持固定保持すること
からなる典型的制作仕様データからなる外観仕様コンセプトを有するテレビ内蔵可能な家具について、テレビの種類ごとに典型設計画像が登録され、
木製の家具を制作する事業者に属する端末が、
テレビを製造する事業者に属する端末からの要求に従って典型設計画像を送信し、テレビを製造する事業者に属する端末から送信された、顧客の和室内に配置された既存のテレビあるいは新規購入希望のテレビについてのテレビ種類情報及び和室内テレビ配置状態画像を取得して、テレビの種類及び和室内テレビ配置状態画像データを取得し、
当該テレビ内蔵の木製の家具の典型設計画像を画面表示手段に表示させ、当該テレビ内蔵の木製の家具の典型設計画像を木製の家具の制作する事業者に、
１）木製の家具を構成する前側枠体部及び後側枠体部の形状、２）双方の枠体部のそれぞれを構成する木製の部材の材料、及び３）前側枠体部が前記前側窓部周囲を囲んだ縁の形状のいずれかあるいはそれらの全ての観点で設計変更させ、設計変更された木製の家具の変更設計像を取得し、当該木製の家具の変更設計像を、テレビを製造する事業者に属する端末に送信し、
テレビを製造する事業者に属する端末が、送信された当該木製の家具の変更設計像を順次画面に表示させ、その内の一つの木製の家具の変更設計像を木製の家具の制作設計像として取得し、取得された当該木製の家具の制作設計像を木製の家具を制作する事業者に属する端末に送信して、取得させ、
木製の家具を制作する事業者によって、取得された当該木製の家具の制作設計像に基づいて前記外観仕様コンセプトを持つテレビ内蔵可能な木製の家具が制作され、
制作されたテレビ内蔵可能な家具に、当該テレビの仕様データを持ったテレビが装着され、セットとして販売に供されること
を特徴とするテレビ内蔵可能な家具、及び当該家具に内蔵されるテレビからなるセットについてのセット販売システム。
【００８１】
発明２
発明１に記載されたテレビ内蔵可能な家具、及び当該家具に内蔵されるテレビからなるセットについてのセット販売システムに採用される木製の家具を制作する事業者によるテレビ内蔵家具の制作方法において、
木製の家具を制作する事業者に属する端末が、
テレビを製造する事業者に属する端末からの要求に従って典型設計画像を送信し、テレビを製造する事業者に属する端末から送信された、顧客の和室内に配置された既存のテレビあるいは新規購入希望のテレビについてのテレビ種類情報及び和室内テレビ配置状態画像を取得して、テレビの種類及び和室内テレビ配置状態画像データを取得し、
当該テレビ内蔵の木製の家具の典型設計画像を画面表示手段に表示させ、当該テレビ内蔵の木製の家具の典型設計画像を木製の家具の制作する事業者に、
１）木製の家具を構成する前側枠体部及び後側枠体部の形状、２）双方の枠体部のそれぞれを構成する木製の部材の材料、及び３）前側枠体部が前記前側窓部周囲を囲んだ縁の形状のいずれかあるいはそれらの全ての観点で設計変更させ、設計変更された木製の家具の変更設計像を取得し、当該木製の家具の変更設計像を、テレビを製造する事業者に属する端末に送信し、
テレビを製造する事業者に属する端末から送信された、木製の家具の制作設計像を取得し、
取得された当該木製の家具の制作設計像に基づいて前記外観仕様コンセプトを持つテレビ内蔵可能な木製の家具が制作され、
制作されたテレビ内蔵可能な家具に、当該テレビの仕様データを持ったテレビが装着され、セットとして販売に供されること
を特徴とする木製の家具を制作する事業者によるテレビ内蔵家具の制作方法。
【００８２】
発明３
発明１に記載されたテレビ内蔵可能な家具、及び当該家具に内蔵されるテレビからなるセットについてのセット販売システムに採用されるテレビ内蔵可能な家具に内蔵されるテレビについて当該テレビを製造する業者によるテレビ販売方法において、
内蔵の木製の家具の典型設計画像を木製の家具の制作する事業者が取得した、
１）木製の家具を構成する前側枠体部及び後側枠体部の形状、２）双方の枠体部のそれぞれを構成する木製の部材の材料、及び３）前側枠体部が前記前側窓部周囲を囲んだ縁の形状のいずれかあるいはそれらの全ての観点で設計変更させ、設計変更された木製の家具の変更設計像を取得することを特徴とするテレビ内蔵可能な家具に内蔵されるテレビについて当該テレビを製造する業者によるテレビ販売方法。
【００８３】
発明４
テレビを内蔵可能な家具、及び当該テレビの仕様データを持ったテレビのセット販売システムであって、テレビを製造する事業者に属する端末が取得した和室内テレビ配置状態画像が既存のテレビであるときに、テレビを製造する事業者に属する端末の演算処理手段が、販売された当該既存のテレビの台数が統計され、予め定めたローヤルテイ率に基づいて木製の家具を製造する事業者からテレビを製造する事業者に支払われるローヤルテイが演算することを特徴とする制作されたテレビを内蔵可能な家具、及び当該テレビの仕様データを持ったテレビのセット販売システム。
【００８４】
発明５
テレビを内蔵可能な家具、及び当該テレビの仕様データを持ったテレビのセット販売システムであって、テレビを製造する事業者に属する端末が取得した和室内テレビ配置状態画像が新規購入希望のテレビであるときに、テレビを製造する事業者に属する端末の演算処理手段が、販売された当該新規購入希望のテレビの台数が統計され、予め定めたローヤルテイ率に基づいてテレビを製造する事業者から木製の家具を製造する事業者に支払われるローヤルテイが演算することを特徴とする制作されたテレビを内蔵可能な家具、及び当該テレビの仕様データを持ったテレビのセット販売システム。
【符号の説明】
【００８５】
１００…市販の薄型のテレビ収納可能としたテレビジョン装着家具（テレビジョン装着家具）、１０１…テレビ、１…本体枠体、２…前側枠体部、２A、２B、２C、２D…４つの部材、３…後側枠体部、３A、３B、３C、３D…４つの部材、４…空間部、５…前側窓部、６…後側窓部、７…縁（額縁）、８…脚部、９…音声通過孔、１１…後側枠体部の平面部、１２…後側枠体部の傾斜面、１３…垂直面部、１４…４つの孔、２５…押圧点、２６…第１のビス孔、２７…底部のあるねじ部、３０、３１…接合面、５０…ねじ部、５１…第１のビス、５２…第２のビス、５３…ねじ部、５４…接触端部、５５…ねじ部、１０２…表示パネル部、１０４…表示パネル部周囲のパネル縁、１０５…市販の薄型のテレビの後側パネル縁部、１０６…傾斜面部、１０７…垂直面部。
【図１】
2019213023.tif 000003
【図２】
2019213023.tif 000004
【図３】
2019213023.tif 000005
【図４】
2019213023.tif 000006
【図５】
2019213023.tif 000007
【図６】
2019213023.tif 000008
【図７】
2019213023.tif 000009
【図８】
2019213023.tif 000010
【図９】
2019213023.tif 000011
【図１０】
2019213023.tif 000012
【図１１】
2019213023.tif 000013
【図１２】
2019213023.tif 000014
【図１３】
2019213023.tif 000015
【図１４】
2019213023.tif 000016
【図１５】
2019213023.tif 000017
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
本体枠体、当該本体枠体の前面部を構成する前側枠体部及び当該本体枠体の後面部を構成する後側枠体部を有し、
前側枠体部及び後側枠体部から構成される当該本体枠体が、凾体形状をなし、内部に矩形状の空間部を有して、当該矩形状の空間部内に薄型のテレビジョンを収納可能とするものであって、
前側枠体部及び後側枠体部のそれぞれが木製の４つの部材からなり、４つの部材で矩形状の枠体に形成され、後側枠体部を形成する４つの部材が個別に前側枠体部に取り付けられて組み立てられたものであって、当該前側枠体部が薄型のテレビジョンの前側パネル部分を外部に露出させる前側窓部を有し、当該後側枠体部が薄型のテレビジョンの後側パネル部分を外部に露出させる後側窓部を有し、組立てられた前側枠体部及び後側枠体部が、内部に薄型のテレビジョンを収納する空間部を有し、及び前側枠体部が前側窓部周囲を囲んだ縁を有し、
前側枠体部に後側枠体部を形成する４つの部材を一体化する一体固定手段を有し、及び前側枠体部及び後側枠体部を形成する４つの部材の間に作用する力を調整可能とし、一体固定手段の位置よりも前記後側窓部側の位置に設定され、当該力を、後側枠体部を形成する４つの部材で受けて当該力で薄型のテレビジョンの前側パネル部分を前側枠体部に押圧する押圧手段を有し、
後側枠体部を形成する４つの部材が、一体固定手段によって前側枠体部に取り付けられて組み立てられて一体固定され、押圧手段によって薄型のテレビジョンの前側パネル部分が前側枠体部に押圧され、前側枠体部と後側枠体部とが、一体固定手段の位置よりも外方で緊締されて、薄型のテレビジョンの前側パネル部分を前記空間部内で、前側枠体部と後側枠体部との間に挟持固定保持すること
を特徴とする市販の薄型のテレビジョンを装着可能としたテレビジョン装着家具。
【請求項２】
請求項１に記載された市販の薄型のテレビジョンを装着するテレビジョン装着家具において、前側枠体部に取り付けられて組み立てられる、後側枠体部を形成する４つの部材が、隣接する各端部の間に空隙を有し、前側枠体部が、前側枠体部を形成する４つの部材が隣接する端部の間に空隙部を有しないで接着された剛体構造とされることを特徴とする市販の薄型のテレビジョンを装着可能としたテレビジョン装着家具。
【請求項３】
請求項１に記載された市販の薄型のテレビジョンを装着するテレビジョン装着家具において、前記押圧手段が後側枠体部に設けられたねじ部に螺合されるねじ部を持ったビスで形成され、当該ビスが、ビス先端が薄型のテレビジョンの前側パネル部分に向けられて後側枠体部に取り付けられ、ビス先端が薄型のテレビジョンの前側パネル部分に当接することを特徴とする市販の薄型のテレビジョンを装着するテレビジョン装着家具。
【請求項４】
請求項３に記載された市販の薄型のテレビジョンを装着可能としたテレビジョン装着家具において、隣接した端面であって面一の表面部に隣接した端面の間は互いに接触し、傾斜する表面部に連接する端面の間に間隙が形成され、前記押圧手段のねじ部の螺合で、傾斜する表面部が固定手段の位置を基点として微小回動されて、前側枠体部及び後側枠体部は、双方の外側の外表面が面一の滑らかな表面を形成することを特徴とする市販の薄型のテレビジョンを装着可能としたテレビジョン装着家具。
【請求項５】
請求項１に記載された市販の薄型のテレビジョンを装着するテレビジョン装着家具において、前側窓部周囲を囲んだ縁が、収納された薄型のテレビジョンの前側パネル部分方向に突出する突起部になる額縁を形成し、当該額縁が薄型のテレビジョンの前側パネル部分の周囲部分に接触し、当該周囲部分を視界から隠蔽することを特徴とする市販の薄型のテレビジョンを装着するテレビジョン装着家具。
【請求項６】
請求項１〜５のいずれかに記載された市販の薄型のテレビジョンを装着可能としたテレビジョン装着家具と、当該テレビジョン装着家具の内部に挟持固定保持された市販の薄型のテレビジョンとからなること
を特徴とする市販の薄型のテレビジョンを装着するテレビジョン装着家具及び市販の薄型のテレビジョンの組み合わせ。
【請求項７】
本体枠体、当該本体枠体の前面部を構成する前側枠体部及び当該本体枠体の後面部を構成する後側枠体部を有し、
前側枠体部及び後側枠体部から構成される当該本体枠体が、凾体形状をなし、内部に矩形状の空間部を有して、当該矩形状の空間部内に薄型のテレビジョンを収納可能とするものであって、
前側枠体部及び後側枠体部のそれぞれが木製の４つの部材からなり、４つの部材で矩形状の枠体に形成され、後側枠体部を形成する４つの部材が個別に前側枠体部に取り付けられて組み立てられたものであって、当該前側枠体部が薄型のテレビジョンの前側パネル部分を外部に露出させる前側窓部を有し、当該後側枠体部が薄型のテレビジョンの後側パネル部分を外部に露出させる後側窓部を有し、組立てられた前側枠体部及び後側枠体部が、内部に薄型のテレビジョンを収納する空間部を有し、及び前側枠体部が前側窓部周囲を囲んだ縁を有し  、
前側枠体部に後側枠体部を形成する４つの部材を一体化する一体固定手段を有し、及び前側枠体部及び後側枠体部を形成する４つの部材の間に作用する力を調整可能とし、当該力を、後側枠体部を形成する４つの部材で受けて当該力で薄型のテレビジョンの前側パネル部分を前側枠体部に押圧する押圧手段を有したテレビジョン装着家具への市販の薄型のテレビジョンの装着方法において、
後側枠体部を形成する４つの部材が、一体固定手段によって前側枠体部に取り付けられて組み立てられて一体固定された状態で、押圧手段によって薄型のテレビジョンの前側パネル部分が前側枠体部に押圧されて、前記縁と押圧手段との間に薄型のテレビジョンの前側パネル部分を挟持して、薄型のテレビジョンの前側パネル部分が前記空間部内で、前側枠体部と後側枠体部との間に挟持固定保持されること
を特徴とする市販の薄型のテレビジョンを装着可能としたテレビジョン装着家具への市販の薄型のテレビジョンの装着方法。
【手続補正２】
【補正対象書類名】明細書
【補正対象項目名】００２６
【補正方法】変更
【補正の内容】
【００２６】
これらの図において、テレビジョン装着家具１００は、本体枠体１、当該本体枠体１の前面部を構成する前側枠体部２及び当該本体枠体の後面部を構成する後側枠体部３を有して薄型に形成された市販の薄型のテレビ１０１を収納可能とする。
【手続補正３】
【補正対象書類名】明細書
【補正対象項目名】００２７
【補正方法】変更
【補正の内容】
【００２７】
テレビジョン装着家具１００は、前側枠体部２及び後側枠体部３のそれぞれが木製の４つの部材２A、２B、２C、２D及び３A、３B、３C、３Dからなり、４つの部材で矩形状の枠体に形成され、後側枠体部３２形成する４つの部材３A、３B、３C、３Dが個別に前側枠体部２に取り付けられて組み立てられたものであって、前側枠体部２がテレビ１０１の前側パネル部分１０２を外部に露出させる、空間部４（図１３）に形成された前側窓部５（図５）を有し、後側枠体部３が後側パネル部分１０３を外部に露出させる、当該空間部４に形成された後側窓部６を有する。  組立てられた前側枠体部２及び後側枠体部３が、内部に薄型のテレビジョンを収納する前述の空間部４を有し、及び前側枠体部２が前側窓部５の周囲を囲んだ縁７を有する。縁７は、後述するように前側枠体部２が押圧手段によって押圧されたときに押圧力を受ける部分となる。テレビ１０１が前側パネル部分周囲に縁を有するテレビあるいは前側パネル部分周囲に縁を有しないテレビ（縁なしデスプレイテレビ）にあっても形成されるが、前側パネル部分周囲に縁を有しないテレビにあってはその幅は前側パネル周囲に縁を有するテレビに比べて小さなものとされる。
【手続補正４】
【補正対象書類名】明細書
【補正対象項目名】００３３
【補正方法】変更
【補正の内容】
【００３３】
図３は、テレビジョン装着家具１００がその内部に収納する典型的な市販の薄型テレビ１０１の外観を示す図である。図３（a）は、テレビの前側パネル部分の正面図を示し、図３（ｂ）は、テレビの後側パネル部分の斜視図を示す。典型的な市販の薄型テレビ１０１としては、薄型の液晶テレビが該当する。薄型の液晶テレビには、立設タイプのテレビと壁掛けタイプがあり、また画面周囲にパネル縁のあるタイプのものと画面周囲にパネル縁のないタイプのものとがある。本実施例は、これらいずれのタイプのテレビにも提要可能である。以下、立設タイプの薄型の液晶テレビで、画面周囲にパネル縁のあるタイプのテレビを例に採って説明する。薄型とは、液晶テレビにように通常当業界で使用される薄型を意味する。
【手続補正５】
【補正対象書類名】明細書
【補正対象項目名】００３５
【補正方法】変更
【補正の内容】
【００３５】
テレビの前側パネルは、チャンネル操作器（図示せず。）と無線通信を行うテレビ操作部を備える。このテレビ操作部の前面部に、通信部例えば音声部１１０が設けられる。
【手続補正６】
【補正対象書類名】明細書
【補正対象項目名】００３６
【補正方法】変更
【補正の内容】
【００３６】
図３（ｂ）において、テレビの後側パネル部分は、後方に突起する突起部が後端の垂直面部１０７、後側パネル縁部１０５及びその間を形成する傾斜面部１０６からなる。傾斜面部１０６及び垂直面部１０７には、換気のための多数の空気孔部１０８が形成される。本実施例では、テレビの後側パネル部分が傾斜面部１０６を有する例について説明する画、この例には限定されない。例えば、斜面部１０６がなく、後側パネル縁部１０５から直ちに垂直面部１０７に推移するタイプの後側パネル部分にも適用可能である。
【手続補正７】
【補正対象書類名】明細書
【補正対象項目名】００４１
【補正方法】変更
【補正の内容】
【００４１】
部材２Dは、挿入されるビス（後述）の先端が接触することで押圧される押圧点２５を備える。
突起部が縁７を形成し、テレビの前側パネル部分の縁部１０４を収納する収納凹部７Aを形成する。  縁７に先端部表面は、垂直面と傾斜面からなり、傾斜面側が視界面となる。反対側の凹んだ部分にテレビの前側パネル部分１０２の縁部１０４が収納される。視界の観点からみたときに、縁７は、額縁になって、前側パネル部分１０２の縁部１０４を視界から遮蔽する。
【手続補正８】
【補正対象書類名】明細書
【補正対象項目名】００６３
【補正方法】変更
【補正の内容】
【００６３】
前側枠体部２が４つの部材２A、２B、２C、２Dからなり、矩形状に配置されて接合面３０が接合され、剛体としての一つの枠体が形成される。（S１）
前側枠体部が薄型のテレビの前側パネル部分１０２を外部に露出させる前側窓部を有する。  このときに、前側枠体部２が前記前側窓部周囲を囲んで縁７が形成される。
【手続補正９】
【補正対象書類名】明細書
【補正対象項目名】００６４
【補正方法】変更
【補正の内容】
【００６４】
窓部周囲を囲んだ縁は、収納された薄型のテレビの前側パネル方向に突出する突起部になる額縁を形成し、当該額縁が薄型のテレビの前側パネル部分の周囲部分に接触し、当該周囲部分を視界から隠蔽する。（S２）
薄型のテレビの前側パネル部分１０２の後側パネル縁部１０５が縁７の内面に接触するようにして縁によって形成された収納凹部７Aに収納するようにして薄型のテレビ１０１が前側枠体部２内に収納される。（S３）
後側枠体部３のそれぞれが木製の４つの部材３A、３B、３C、３Dからなる。４つの部材３A、３B、３C、３Dで矩形状配置を形成することで、４つの部材３A、３B、３C、３Dが各独立した矩形状枠体を形成する。後側枠体部を形成する４つの部材３A、３B、３C、３Dが個別に前側枠体部２に取り付けられて組み立てられる。（S４）
組立てられた前側枠体部２及び後側枠体部３が、内部に薄型のテレビジョンを収納する空間部４を有する。薄型のテレビ１０１がこの空間部４内に配設される。（S５）
薄型のテレビ１０１がこの空間部４内に配設されたときに、薄型のテレビ１０１の前側パネル部分１０２は、前側枠体部２及び後側枠体部３の４つの部材３A、３B、３C、３Dに軽く接して配設される。
【手続補正１０】
【補正対象書類名】明細書
【補正対象項目名】００６５
【補正方法】変更
【補正の内容】
【００６５】
軽く接して配設されるとは、ルーズに配設されることで、少しでも押圧すれば、薄型のテレビ１０１をこの空間部４内を移動させることができる状態をいう。この状態にあっては、部材３Bの傾斜部２１が薄型のテレビの後側パネル形状に沿った状態となる。（S６）
後側枠体部３が薄型のテレビの後側パネル部分を外部に露出させる後側窓部６が形成される。後側パネル部分の中央部が形成された後側窓部６から外方に露出される。後側枠体部３の外面と露出した後側パネル部分の中央部の外面とは面一とされた。（S７）
第１のビス５１は、後側枠体部３B（３）の厚さを貫通する長さを有し、先端部分にネジ部５３を備える。第２のビス５２は、後側枠体部３B(３)の厚さを貫通する長さを有し、先端に接触端部５４を備え、先端部にねじ部５５を備える。
【手続補正１１】
【補正対象書類名】明細書
【補正対象項目名】００６６
【補正方法】変更
【補正の内容】
【００６６】
前側枠体部に後側枠体部を形成する４つの部材を一体化する一体固定手段及び前側枠体部及び後側枠体部を形成する４つの部材の間に作用する力を調整可能とし、当該力を、後側枠体部を形成する４つの部材で受けて当該力で薄型のテレビジョンの前側パネル部分を前側枠体部に押圧する押圧手段を有する。第１のビス５１が一体固定手段を形成し、第２のビス５２が押圧手段を形成する。  第１のビス５１と第２のビス５２とは、垂直面部の同一面上で、水平方向あるいは垂直方向の同一線上に設定された。
【手続補正１２】
【補正対象書類名】明細書
【補正対象項目名】００６８
【補正方法】変更
【補正の内容】
【００６８】
接触端部５４の前側枠体部２の押圧点２５への押圧に伴って、第１のビス５１及び第２のビス５２間にはモーメントが作用して、部材３はしなり、部材３Bを第１のビスを中心にして部材３Bを微小が回動させ、図１３に示すように第１のビスを中心にして中央側に前側枠体部２と部材３Bとの間に微小の空隙が派生させ、第１のビスを中心にして外側の前側枠体部２と部材３Bとの間を固く締める。外側の前側枠体部２と部材３Bとの間を固く締められることで、面一配置の前側枠体部２と部材３Bとは、その間に全く空隙がなく、一体の板のごとくの形態となり、外側外方から見たときに見映えがよくなる。前側枠体部と後側枠体部とが、一体固定手段である第１のビス５１の位置よりも外方で緊締される。第１のビス５１の位置より外方端までを外方とし、第１のビス５１の位置より後側窓部６までを内方という。
【手続補正１３】
【補正対象書類名】明細書
【補正対象項目名】００７４
【補正方法】変更
【補正の内容】
【００７４】
後側枠体部を形成する４つの部材が、一体固定手段によって前側枠体部に取り付けられて組み立てられて一体固定され、押圧手段によって、薄型のテレビジョンの前側パネル部分が前側枠体部に押圧され、前記縁と押圧手段との間に薄型のテレビジョンの前側パネル部分を挟持して、薄型のテレビジョンの前側パネル部分を前記空間部内で、前側枠体部と後側枠体部との間に挟持固定保持する。（S１０）
最終的に脚部８を枠体１に取り付ける。（S１１）
市販の薄型のテレビジョンを装着可能としたテレビジョン装着家具１００と、当該テレビジョン装着家具の内部に挟持固定保持された市販の薄型のテレビ１０１からなる、市販の薄型のテレビジョンを装着するテレビジョン装着家具及び市販の薄型のテレビジョンの組み合わせが提供される。
【手続補正１４】
【補正対象書類名】明細書
【補正対象項目名】００７５
【補正方法】変更
【補正の内容】
【００７５】
本実施例によれば、後側枠体部を形成する４つの部材が、一体固定手段によって前側枠体部に取り付けられて組み立てられて一体固定され、押圧手段によって、薄型のテレビジョンの前側パネル部分が前側枠体部に押圧され、前記縁と押圧手段との間に、薄型のテレビジョンの幅を決定する要素の内の比較的薄い幅の前側パネル部分を挟持して、薄型のテレビジョンの前側パネル部分を前記空間部内で、前側枠体部と後側枠体部との間に挟持固定保持することができる。
【手続補正１５】
【補正対象書類名】明細書
【補正対象項目名】００８５
【補正方法】変更
【補正の内容】
【００８５】
１００…市販の薄型のテレビ収納可能としたテレビジョン装着家具（テレビジョン装着家具）、１０１…テレビ、１…本体枠体、２…前側枠体部、２A、２B、２C、２D…４つの部材、３…後側枠体部、３A、３B、３C、３D…４つの部材、４…空間部、５…前側窓部、６…後側窓部、７…縁（額縁）、８…脚部、９…音声通過孔、１１…後側枠体部の平面部、１２…後側枠体部の傾斜面、１３…垂直面部、１４…４つの孔、２５…押圧点、２６…第１のビス孔、２７…底部のあるねじ部、３０、３１…接合面、５０…ねじ部、５１…第１のビス、５２…第２のビス、５３…ねじ部、５４…接触端部、５５…ねじ部、１０２…前側パネル部分、１０４…前側パネル部分周囲のパネル縁、１０５…市販の薄型のテレビの後側パネル縁部、１０６…傾斜面部、１０７…垂直面部。